(57)【要約】【課題】本発明は、特別の装備が不要で、光量を高精度で検知でき、直射日光を代表とする強い日光によるカメラモジュールへの直接的なダメージをいち早く避けることができるネットワークカメラ、カメラ装置およびカメラ保護方法を提供することを目的とする。【解決手段】本発明は、対物レンズと、対物レンズを透過した光を受光する受光セルが設けられた撮像部１３ａと、撮像部１３ａからの出力信号をデータ化する画像データ生成部１４とを備えたカメラ装置であって、撮像部１３ａからの出力信号を基に得られる輝度によって対物レンズが受光する光量を測定する光量判定手段１４ｃと、カメラモジュール保護動作を行うレンズ駆動部１５と、輝度を対物レンズが受光する光量の許容値と対応した閾値と比較し、閾値以上の輝度の場合にレンズ駆動部１５にカメラモジュール保護動作をさせる動作要求判定手段１７ａが設けられたことを特徴とする。【選択図】図３
2007142924.tif 000002
【特許請求の範囲】
【請求項１】
対物レンズと、前記対物レンズを透過した光を受光する受光セルが設けられた撮像部と、前記撮像部からの出力信号をデータ化する画像データ生成部とを備えたカメラ装置であって、前記撮像部からの出力信号を基に得られる輝度によって前記対物レンズが受光する光量を測定する光量判定手段と、カメラモジュール保護動作を行うカメラモジュール保護動作手段と、前記輝度を前記対物レンズが受光する光量の許容値と対応した閾値と比較し、前記閾値以上の輝度の場合にカメラモジュール保護動作手段にカメラモジュール保護動作をさせる動作要求判定手段が設けられたカメラ装置。
【請求項２】
前記カメラモジュール保護動作手段が、前記受光セル側の撮像部周辺を日光から保護するレンズ保護動作を行う請求項１記載のカメラ装置。
【請求項３】
前記輝度が、前記撮像部からの出力信号を基に重み付けして算出される請求項１または２記載のカメラ装置。
【請求項４】
前記カメラモジュール保護動作手段によるレンズ保護動作が、前記対物レンズを本体内に移動して表面を覆う動作、または対物レンズカバーをスライドさせて前記対物レンズを覆う動作のいずれか一方であるこ請求項２記載のカメラ装置。
【請求項５】
対物レンズと、前記対物レンズを透過した光を受光する受光セルが設けられた撮像部と、前記撮像部からの出力信号をデータ化する画像データ生成部とを、ネットワークに接続されたとき、録画した画像を送信できるネットワークカメラであって、前記撮像部からの出力信号を基に得られる輝度によって前記対物レンズが受光する光量を測定する光量判定手段と、カメラモジュール保護動作を行うカメラモジュール保護動作手段と、前記輝度を前記対物レンズが受光する光量の許容値と対応した閾値と比較し、前記閾値以上の輝度の場合にメラモジュール保護動作手段にカメラモジュール保護動作をさせる動作要求判定手段が設けられたネットワークカメラ。
【請求項６】
前記カメラモジュール保護動作手段が、前記受光セル側の撮像部周辺を日光から保護するレンズ保護動作を行う請求項５記載のネットワークカメラ。
【請求項７】
前記輝度が、前記撮像部からの出力信号を基に重み付けして算出される請求項５または６記載のネットワークカメラ。
【請求項８】
前記カメラモジュール保護動作手段によるレンズ保護動作が、前記対物レンズを本体内に移動して表面を覆う動作、または対物レンズカバーをスライドさせて前記対物レンズを覆う動作のいずれか一方である請求項６記載のネットワークカメラ。
【請求項９】
前記動作要求判定手段が、カメラモジュール保護動作時にカメラモジュール保護中である旨の通知を動作通知画面／メール生成手段によって送信することを特徴とする請求項５から８のいずれか1項に記載されたネットワークカメラ。
【請求項１０】
撮像部からの出力信号を基に得られる輝度を測定し、前記輝度を前記対物レンズが受光する光量の許容値と対応した閾値と比較し、前記閾値以上の輝度の場合にカメラモジュール保護動作をするカメラ保護方法。
【発明の詳細な説明】
【技術分野】
【０００１】
本発明は、強い日光に対して対物レンズ背後のカメラモジュールを保護することができるカメラ装置と、そのカメラ部を搭載して録画した画像を配信できるネットワークカメラに関する。
【背景技術】
【０００２】
最近、多数の通信端末からＩＰネットワークを介してアクセスすると、画像を配信する画像配信装置、中でもカメラ部を搭載したネットワークカメラが広く普及してきている。ネットワークカメラは、例えばプロトコルＨＴＴＰで、ＷｅｂサーバがＩＰネットワークを介して通信端末のＷｅｂブラウザと通信し、撮影した画像、場合によってはマイクとスピーカを使って音声も各通信端末に送信するものである。
【０００３】
ところで、ネットワークカメラを設置するとき、直射日光は勿論、少なくとも窓際などで晴天下の日光が直接当る場所に設置するのはできるだけ避けなければならない。なお、以下このような日光を、直射日光を代表とする強い日光、若しくは強い日光という。このような日光を避けなければならない第１の直接的な理由は、強い日光を浴びたとき、カメラモジュール、代表的には対物レンズ背後の撮像デバイスがこの光でダメージを受けるし、間接的な理由としては、カメラの周囲温度やカメラ本体が温度上昇し、これによって対物レンズや撮像デバイス等が熱変形し、２次的なピントずれを起こしたりするためである。このほか、ネットワークカメラは通常のカメラと異なり、風雨、塵埃等にも耐えなければならない。
【０００４】
このような温度上昇によるカメラへの影響を排除するために、温度センサを設けて温度を検知し、前面カバーを閉じるカメラが提案されている（特許文献１参照）。これによって、日光を浴びたことによる温度上昇で、カメラ本体、対物レンズ等が暖まって変形し、ピントずれが起こったり、太陽電池や二次電池の安全性が低下したり、光線漏れによるフィルムの露光などが防止できる。
【０００５】
しかし、特許文献１のカメラが日光を浴びて問題が生じるといっても、カメラモジュールに不可逆的なダメージを与えるほどの直接的なものではなく、温度上昇で間接的に本体が変形し、ピントがずれ、電池が劣化し、変形で漏れた光によってフィルムが露光するなどの不具合にすぎない。これはカメラを誰も日光へは向けないからである。
【０００６】
これに対し、ネットワークカメラの使用環境はかなり苛酷である。この装置の性質上、遠隔操作がほとんどで、遠隔地から太陽の位置まで考えて操作するのは難しい。また、通常、直射日光を避けて設置するように強く指示されているが、室外に野晒しの状態で設置されることも多い。例えば、スキー場、海水浴場、屋外駐車場等の日差しの強い環境に野晒しの状態で設置される。このような場合、温度の上昇による間接的な影響は勿論のこと、直射日光を代表とする強い日光そのものによるカメラモジュールに対する直接的なダメージが発生する。
【特許文献１】特開平７−１７５１２８号公報
【発明の開示】
【発明が解決しようとする課題】
【０００７】
以上説明したように、特許文献１のカメラは、温度上昇によるカメラ本体や対物レンズの変形、電池の劣化、フィルムの露光などを避けるものである。そして、直接日光へカメラを向けることはない。偶然太陽の方向へカメラを向けることはあっても、瞬時に方向は
修正される。
【０００８】
しかし、ネットワークカメラは、遠隔操作のため太陽の位置が分り辛く、太陽の方向へカメラを向ける可能性が高い。しかも、日差しの強い海水浴場や駐車場に設置されたり、環境温度は低くても直射日光の強い冬のスキー場に設置されたりする。このとき、強い日光そのものによるカメラモジュールへの直接的なダメージが発生する。
【０００９】
ネットワークカメラは、十分耐久性を持つように設計されているが、使用方法と使用環境によっては直射日光等の強い日光のため、カメラモジュール自体がダメージを受けることが発生する。
【００１０】
例えば、ネットワークカメラの撮像部であるＣＣＤやＣＭＯＳ撮像素子の受光セルには色フィルタ（Ｒｅｄ／Ｂｌｕｅ／Ｇｒｅｅｎ）が貼り付けてあるが、直射日光を受けると変質（変色）し、色再現性が悪くなる。さらに、ＣＣＤやＣＭＯＳ撮像素子の制御線が損傷を受け、画像に線が入って表示されるようなことも発生する。
【００１１】
また、ネットワークカメラの対物レンズの光軸から少しずれて直射日光が入射されたときには、撮像素子を支える鏡筒面にフォーカスされるというようなことも発生する。これはネットワークカメラが遠隔操作で方向を自在に変更でき、太陽も時刻によって位置を変化させることが原因である。鏡筒上で焦点を結ぶような状態が続くと、対物レンズを支えている鏡筒が局部的に不可逆的に変形し、画像も魚眼レンズで撮像したように歪み、焦点が合わなくなったりする。
【００１２】
そして、特許文献１のカメラのように、温度上昇を検知するために温度センサを設けるのはコストがかかる上に、直射日光を代表とする日光を直接検知するものではない。しかも、サーミスタ等の温度センサを使用した場合には検知精度がよくないために、カメラモジュールの保護が遅れ、ネットワークカメラの機能を損なってしまう。さらに、これらの問題はネットワークカメラに限られるものではなく、監視カメラやその他遠隔操作するカメラ装置でも同様である。
【００１３】
そこで本発明は、特別の装備が不要で、光量を高精度で検知でき、強い日光によるカメラモジュールへの直接的なダメージをいち早く避けることができるカメラ装置とネットワークカメラを提供することを目的とする。
【課題を解決するための手段】
【００１４】
このような問題を解決するために本発明は、対物レンズと、対物レンズを透過した光を受光する受光セルが設けられた撮像部と、撮像部からの出力信号をデータ化する画像データ生成部とを備えたカメラ装置であって、撮像部からの出力信号を基に得られる輝度によって対物レンズが受光する光量を測定する光量判定手段と、カメラモジュール保護動作を行うカメラモジュール保護動作手段と、輝度を対物レンズが受光する光量の許容値と対応した閾値と比較し、閾値以上の輝度の場合にカメラモジュール保護動作手段にカメラモジュール保護動作をさせる動作要求判定手段が設けられたことを特徴とする。
【発明の効果】
【００１５】
本発明のカメラ装置とネットワークカメラによれば、特別の装備が不要で、光量を高精度で検知でき、強い日光によるカメラモジュールへの直接的なダメージをいち早く避けることができる。
【発明を実施するための最良の形態】
【００１６】
上記課題を解決するために本発明の第１の発明は、対物レンズと、対物レンズを透過し
た光を受光する受光セルが設けられた撮像部と、撮像部からの出力信号をデータ化する画像データ生成部とを備えたカメラ装置であって、撮像部からの出力信号を基に得られる輝度によって対物レンズが受光する光量を測定する光量判定手段と、カメラモジュール保護動作を行うカメラモジュール保護動作手段と、輝度を対物レンズが受光する光量の許容値と対応した閾値と比較し、閾値以上の輝度の場合にカメラモジュール保護動作手段にカメラモジュール保護動作をさせる動作要求判定手段が設けられたことを特徴とするカメラ装置であり、撮像部の出力の輝度によって判断するのでセンサ等の特別の装備が不要になり、光量を高精度で検知でき、直射日光を代表とする強い日光によるカメラモジュールへの直接的なダメージをいち早く避けることができる。
【００１７】
本発明の第２の発明は、第１の発明に従属する発明であって、カメラモジュール保護動作手段が、受光セル側の撮像部周辺を日光から保護するレンズ保護動作を行うことを特徴とするカメラ装置であり、直射日光を代表とする強い日光による撮像部周辺への直接的なダメージをいち早く避けることができる。
【００１８】
本発明の第３の発明は、第１または２の発明に従属する発明であって、輝度が、撮像部からの出力を基に重み付けして算出することを特徴とするカメラ装置であり、光量を高精度で検知でき、直射日光を代表とする強い日光によるカメラモジュールへの直接的なダメージをいち早く避けることができる。
【００１９】
本発明の第４の発明は、第２の発明に従属する発明であって、カメラモジュール保護動作手段によるレンズ保護動作が、対物レンズを本体内に移動して表面を覆う動作、または対物レンズカバーをスライドさせて対物レンズを覆う動作のいずれか一方であることを特徴とするカメラ装置であり、簡単な構成で、直射日光を代表とする強い日光によるカメラモジュールへの直接的なダメージをいち早く避けることができる。
【００２０】
本発明の第５の発明は、対物レンズと、対物レンズを透過した光を受光する受光セルが設けられた撮像部と、撮像部からの出力信号をデータ化する画像データ生成部とを、ネットワークに接続されたとき、録画した画像を送信できるネットワークカメラであって、撮像部からの出力信号を基に得られる輝度によって対物レンズが受光する光量を測定する光量判定手段と、カメラモジュール保護動作を行うカメラモジュール保護動作手段と、輝度を対物レンズが受光する光量の許容値と対応した閾値と比較し、閾値以上の輝度の場合にカメラモジュール保護動作手段にカメラモジュール保護動作をさせる動作要求判定手段が設けられたことを特徴とするネットワークカメラであり、撮像部の出力の輝度によって判断するのでセンサ等の特別の装備が不要になり、光量を高精度で検知でき、直射日光を代表とする強い日光によるカメラモジュールへの直接的なダメージをいち早く避けることができる。
【００２１】
本発明の第６の発明は、第５の発明に従属する発明であって、カメラモジュール保護動作手段が、受光セル側の撮像部周辺を日光から保護するレンズ保護動作を行うことを特徴とするネットワークカメラであり、直射日光を代表とする強い日光による撮像部周辺への直接的なダメージをいち早く避けることができる。
【００２２】
本発明の第７の発明は、第５または６の発明に従属する発明であって、輝度が、撮像部からの出力信号を基に重み付けして算出されることを特徴とするネットワークカメラであり、光量を高精度で検知でき、直射日光を代表とする強い日光によるカメラモジュールへの直接的なダメージをいち早く避けることができる。
【００２３】
本発明の第８の発明は、第６の発明に従属する発明であって、カメラモジュール保護動作手段によるレンズ保護動作が、対物レンズを本体内に移動して表面を覆う動作、または
対物レンズカバーをスライドさせて対物レンズを覆う動作のいずれか一方であることを特徴とするネットワークカメラであり、簡単な構成で、直射日光を代表とする強い日光によるカメラモジュールへの直接的なダメージをいち早く避けることができる。
【００２４】
本発明の第９の発明は、第５〜８のいずれかの発明に従属する発明であって、動作要求判定手段が、カメラモジュール保護動作時にカメラモジュール保護中である旨の通知を動作通知画面／メール生成手段によって送信することを特徴とするネットワークカメラであり、ユーザにカメラモジュール保護動作を行っている旨を通知することができ、ネットワークカメラの置かれている状態を直ちに報知することができる。
【実施例】
【００２５】
（実施例１）
本発明の実施例１におけるカメラ装置、とくにネットワークカメラについて説明する。そして、実施例１のカメラモジュール保護動作手段によるカメラモジュール保護は、カメラ装置をチルトさせることによって行うものである。なお、カメラ装置はネットワークカメラのほかに、監視カメラ等の遠隔操作するようなカメラで、強い日光を浴びる可能性のあるカメラを含む。
【００２６】
図１は本発明の実施例１におけるネットワークカメラのシステム構成図、図２（ａ）は本発明の実施例１におけるネットワークカメラの正面図、図２（ｂ）は（ａ）のネットワークカメラの側面図、図３は本発明の実施例１におけるネットワークカメラの構成図、図４（ａ）は本発明の実施例１におけるカメラモジュールの保護前の状態とインジケータの拡大図、図４（ｂ）は（ａ）のカメラモジュールの保護時の状態とインジケータの拡大図、図５は本発明の実施例１におけるネットワークカメラの光量測定の説明図、図６は本発明の実施例１におけるネットワークカメラのカメラモジュール保護のフローチャートである。
【００２７】
図１、図２（ａ）（ｂ）において、１はインターネットやイントラネット等のＴＣＰ／ＵＤＰ、ＩＰで通信するＩＰネットワーク、２はカメラ部１３（後述）で撮影した画像情報を録画して配信するネットワークカメラ（本発明のカメラ装置）、２ａはネットワークカメラ本体、３はＩＰネットワーク１を介してネットワークカメラ２にアクセスすることができる通信端末である。
【００２８】
４はネットワークカメラのレンズ（本発明の対物レンズ）、４ａは膨出カバー、５は膨出カバー４ａ内に設けられレンズ４を搭載してネットワークカメラ本体２ａに回転可能に支持されてパン（水平方向）、チルト（垂直方向）を変更する球状曲面のパンチルト変更部である。
【００２９】
６はプライバシーモードを選択したときにネットワークカメラ２を撮像不可にするプライバシーモードスイッチであり、６ａはレンズを日光から保護中であるか否かまたはプライバシーモードで目隠し状態にあるか否かを示すレンズ状態のインジケータである。７はパワースイッチである。
【００３０】
プライバシーモードは、プライバシーモードスイッチ６を手動で操作するか、ＩＰネットワーク１からネットワークカメラ２を操作することによって、パンチルト変更部５をチルト方向に回転させ、レンズ４の視野を覆って画像の非公開状態にすることができる。このときインジケータ６ａはカメラの動作中を示す青色の点灯状態から赤色の点灯状態に変化する。
【００３１】
同様に実施例１においては、直射日光を代表とする強い日光を受け、レンズ４を透過し
た撮像素子等の受光セルの受光量が所定の光量を越えた場合に、自動的にパンチルト変更部５をチルト方向に回転させて（レンズ保護動作）、レンズ４をネットワークカメラ本体２ａ内に隠す。そして、レンズ４背後の撮像部１３ａ周辺が保護状態にあることを表示するために、インジケータ６ａの青色を消し赤色を点灯する。なお、実施例１においては、カメラモジュール保護とプライバシー保護はいずれもレンズ４を覆うため、同一のインジケータ６ａで保護状態を表示するが、それぞれ別のインジケータで表示するのでもよい。
【００３２】
続いて、図３に基づいてネットワークカメラ２の内部構成について説明する。図３において、１１はネットワークカメラ２のＩＰネットワーク１との間のネットワークインターフェース（Ｉ／Ｆ）、１２はＷＥＢサーバであり、通信端末３のＷｅｂブラウザからの要求を受信し、ネットワークカメラ２で録画した画像情報を送信する。なお、プロトコルがＨＴＴＰ以外の、例えばＦＴＰ、ＲＴＰ等による場合はＷＥＢサーバ１２に代えて、これらのプロトコルで通信するサーバが搭載される。
【００３３】
１３はレンズ４を搭載して受光した光を光電変換するカメラ部、１３ａはレンズ４を透過した光を受光するＣＣＤあるいはＣＭＯＳ撮像素子等（本発明の受光セル）の撮像部である。１４は撮像部２３からの出力信号であるＲ，Ｇ，Ｂ信号または補色信号を処理して、輝度信号Ｙと色差信号Ｃｒ，Ｃｂ信号を発生し、これらの信号をＪＰＥＧ形式、ＭＰＥＧ形式等に圧縮する画像データ生成部である。
【００３４】
１４ａは画像データ生成部１４に設けられ、撮像部１３ａからの出力信号であるＲ，Ｇ，Ｂ信号または補色信号を基に、演算で輝度信号Ｙと色差信号Ｃｒ，Ｃｂ信号を発生する画像信号処理手段である。画像信号処理手段１４ａでは、輪郭補正、γ補正処理等も行われる。１４ｂは画像信号処理手段１４ａからの出力信号を所定のタイミングでキャプチャーし、これらの信号をＪＰＥＧ形式、ＭＰＥＧ形式等に圧縮する画像信号圧縮手段、１４ｃは画像信号処理手段１４ａで生成した輝度信号Ｙを基に１つの輝度を計算しこれと対応関係にある撮像部１３ａが受光した光量を測定する光量判定手段である。
【００３５】
なお、実施例１においては、光量判定手段１４ｃは画像データ生成部１４に設けられ、画像信号処理手段１４ａの出力である輝度信号Ｙを基に輝度を計算し光量を測定しているが、カメラ部１３でＲ，Ｇ，Ｂ信号または補色信号とは別に輝度（スカラー値）を算出し、このデータが画像データ生成部１４に送られる場合もあり、この場合、この輝度を基に撮像部１３ａで受光した光量を測定することもできる。この輝度を用いる場合、光量判定手段１４ｃはカメラ部１３に設けてもよい。
【００３６】
画像信号圧縮手段１４ｂは代表的にはＤＣＴ処理したものを量子化し、符号化して出力する。１５は撮像部１３ａに対するパン、チルト方向の回転をさせるための駆動信号を出力するレンズ駆動部であり、ズーム等の制御も行う。なお、実施例１のレンズ駆動部１５は、パンチルト変更部５をチルトさせることによってカメラモジュール（レンズ）保護動作を行うもので、本発明におけるカメラモジュール保護動作手段である。
【００３７】
１６はカメラ制御用のマイクロプロセッサにプログラムを読み込んでレンズ駆動部１５を制御するカメラ制御部であり、１７はＣＰＵにプログラムを読み込んで各機能を奏する制御部、１７ａは光量判定手段１４ｃの測定結果に基づいてカメラモジュール保護の要否を判断し、カメラモジュール保護動作を行う動作要求判定手段である。制御部１７、動作要求判定手段１７ａは機能実現手段として構成される。
【００３８】
１８は制御プログラムや各種データをメモリする内蔵の記憶部である。１８ａは受光した光量が所定の許容値を越えたか否かを判定するため、この許容値と対応した輝度の閾値を収めた光量閾値記憶手段である。１８ｂは画像信号圧縮手段１５からの出力をバッファ
する画像記憶手段、１８ｃはカメラモジュール保護中である旨を通信端末３に通知しあるいは表示させるためのＨＴＭＬ等の表示情報を格納したＷＥＢ／メール情報記憶手段である。
【００３９】
１９はインジケータ６ａを青色または赤色に点灯させるためにＬＥＤを選択して点灯させるＬＥＤ処理手段、１９ａはＬＥＤ処理手段１９からの出力で青色または赤色に点灯するＬＥＤ処理部である。ＬＥＤ処理手段１９からの出力で青色または赤色に点灯したときは、記憶部内にその旨のフラグがセットされる。なお、プライバシーモードスイッチ６を手動で操作したり、ＩＰネットワーク１から操作したりすることによって、ネットワークカメラ２を非公開状態にしたときも、ＬＥＤ処理手段１９はＬＥＤ処理部１９ａを青色から赤色に変化させる。このとき青色のフラグがＯＦＦにされ、赤色のフラグがＯＮとなる。
【００４０】
次に、２０は表示情報／メール生成部であって、図１に示す通信端末３にＨＴＴＰでＨＴＭＬ等の表示情報を送信したり、ＳＭＴＰでこれをメールで通知したりする。２０ａは表示情報／メール生成部２０に設けられ、輝度が所定の閾値を越えたとき、通信端末３にレンズ動作通知画面の表示情報を送信したり、ＳＭＴＰでレンズ動作通知メールを送信したりするレンズ動作通知画面／メール生成手段である。
【００４１】
そこで、ネットワークカメラ２における直射日光を代表とする強い日光からのカメラモジュール保護動作について説明する。日光がレンズ４に照射されたとき、直射日光下の照度は１０００００ｌｘ程度であり、雷雲、降雪中では２０００ｌｘ程度である。このとき、ＣＣＤあるいはＣＭＯＳ撮像素子等の撮像部１３ａが浴びる光束の輝度は、その反射率が０．１程度と仮定した場合、雷雲、降雪中では６０ｃｄ／ｍ2程度、直射日光下では、３０００ｃｄ／ｍ2程度となる。そして、この撮像部１３ａの受光セル表面の輝度は、撮像部１３ａからの出力信号を演算処理した輝度信号Ｙと一義的な対応関係にある。なお、撮像部１３ａの輝度はデバイスによっても異なる。
【００４２】
光量判定手段１４ｃは画像信号処理手段１４ａが出力する輝度信号Ｙを基に光量と対応する輝度を測定する。例えば、輝度信号Ｙから受光セル全体が受光した光量と対応した１つの輝度を計算し、これを８ビットで表し、最小の０から最大の２５５までの２５６段階のレベルのいずれかに対応付ける。これはレンズ４や撮像部１３ａの受光セル表面に照射される光量と比例するものである。
【００４３】
動作要求判定手段１７ａは、光量判定手段１４ｃが測定した２５６レベルのいずれかのレベルの輝度と光量閾値記憶手段１８ａに格納された閾値Ｋとの比較を行う。例えば、カメラモジュールを保護する必要のある直射日光は、２５６レベルのうち、一例として２５０以上とすれば十分であり、また直射日光に近い強い日光は一例として２４０以上などとすればよい。この閾値Ｋと比較することによって、レンズ４や撮像部１３ａに照射される光量が許容値内か否か（直射日光に代表される強い日光を浴びているか否か）を判定する。なお、８ビットでなく、精度は悪くなるが、４ビット等のレベルで判断するのでもよい。
【００４４】
この閾値Ｋとして、例えばＫ＝２４０が光量閾値記憶手段１８ａに設定してあれば、動作要求判定手段１７ａは光量閾値記憶手段１８ａから閾値Ｋを読み出し、輝度信号Ｙと比較して、カメラモジュール保護動作が必要か否かを判断する。
【００４５】
Ｙ≧２４０の場合には、レンズ４が直射日光を受けているか、あるいは窓際付近でレンズ４が太陽の方向を向いていると判断し、カメラモジュール保護動作を開始する。また、Ｙ＜２４０と判断された場合は、光量は問題ないから通常通り画像を録画する。なお、プ
ライバシーモードのときにもＹ＜１となるが、このときカメラモジュール保護中である旨の通知は行わない。
【００４６】
ところで、受光する光量はＣＣＤあるいはＣＭＯＳ撮像素子等の受光セル面の各領域でそれぞれ異なる。そこで、実施例１においては、輝度、すなわち一定時間当りの輝度信号の平均値を図５のような６つの領域（ブロック）に分割して重み付けすることで計算している。図５において、デバイス中央のブロック６から出力される輝度信号の重み付けを最も高くし、その周囲のブロック５の重み付けを次に高くする。さらに、このブロック５の外側で領域全体との間の領域を４つに分割し、４つのＬ字状のブロック、ブロック１〜ブロック４とし、重み付けをブロック３，４の方（下方側）がブロック１，２より高くなるように設定する。これは太陽の位置を考慮したものである。従って、各ブロックの重み付けをｗ１〜ｗ６としたときは、ｗ６＞ｗ５＞ｗ３，４＞ｗ１，２の順になる。なお、ｗ１＋ｗ２＋ｗ３＋ｗ４＋ｗ５＋ｗ６＝１である。
【００４７】
そして、各ブロックの輝度（平均値）をｓ１〜ｓ６とすると、全体を表す輝度Ｓ（平均値）は、Ｓ＝ｓ１×ｗ１＋ｓ２×ｗ２＋ｓ３×ｗ３＋ｓ４×ｗ４＋ｓ５×ｗ５＋ｓ６×ｗ６で得られる。なお、この領域の分割方法は実装（各デバイス）次第であり、様々の分割方法がある。本発明が輝度Ｓ算出のために上記分割方法に限られないことはいうまでもない。なお、上述したように、画像信号処理手段１４ａが出力する輝度信号Ｙではなく、カメラ部１３から算出される輝度（スカラー値）をそのまま輝度Ｓとして使ってもよい。
【００４８】
動作要求判定手段１７ａは、光量判定手段１４ｃの測定結果を受けると、カメラモジュール保護の要否を判定し、図４（ａ）の左図に示すように、まずレンズ駆動部１５に対してパンチルト変更部５をチルト方向（実施例１では上方）に回転させる。これにより、レンズ４は膨出カバー４ａ内に移動し、視野が膨出カバー４ａで隠され、日光が遮られて図４（ｂ）の左図に示す状態となり、直射日光を代表とする強い日光からのカメラモジュール保護が可能になる。
【００４９】
これにより、実施例１の撮像部１３ａの受光セルには色フィルタ（Ｒｅｄ／Ｂｌｕｅ／Ｇｒｅｅｎ）が貼り付けてあるが、パンチルト変更部５を上方に回転させて日光を遮るため、色フィルタが直射日光で変質（変色）したりせず、色再現性が悪くなるようなことが起こらない。さらに、撮像部１３ａの制御線が日光で溶融などのダメージ（損傷）を受け、画像に線が入って表示されるようなこともない。
【００５０】
また、ネットワークカメラの対物レンズの光軸から少しずれて直射日光が入射されたときにも、パンチルト変更部５を上方に回転させて日光を遮るので、撮像素子を支える鏡筒面にフォーカスされるようなことは起こらない。従って、対物レンズを支えている鏡筒が熱で変形したり、画像が歪んだり、焦点が合わなくなったりすることがない。
【００５１】
そして、動作要求判定手段１６ａは、カメラモジュール保護の動作命令と同時に、ＬＥＤ処理手段１９にインジケータ６ａのＬＥＤが青色に点灯されているのを赤色にするように命じる。これによってＬＥＤ処理手段１９は、ＬＥＤ処理部１９ａにカメラが動作中であることを示す青色から図４（ｂ）の右図ように赤色に変化する。
【００５２】
さらに、動作要求判定手段１６ａは、レンズ動作通知画面／メール生成手段２０ａにカメラモジュール保護動作を行った旨を通信端末３に通知するように命じ、これを受け、レンズ動作通知画面／メール生成手段２０ａは、ＷＥＢ／メール情報記憶手段１８ｃからカメラモジュール保護動作を行った旨のＨＴＭＬ等のＷＥＢ表示情報を読み出して、通信端末３にプロトコルＨＴＴＰで送信する。同様に、レンズ動作通知画面／メール生成手段２０ａは、ＷＥＢ／メール情報記憶手段１８ｃからカメラモジュール保護動作を行った旨の
メール情報を読み出して、通信端末３にプロトコルＳＭＴＰで送信する。
【００５３】
以上説明したネットワークカメラ２が直射日光若しくはこれに近い強い日光を受光したときのフローチャートについて説明する。図６において、動作要求判定手段１７ａが一定時間おきのような所定のタイミングで光量判定手段１４ｃが算出した輝度のレベルが閾値以上であるか否かを判定する（ｓｔｅｐ１）。
【００５４】
ｓｔｅｐ１において閾値より低い場合には、ＬＥＤの赤色と青色のどちらが点灯中であるかを判定し（ｓｐｔｅｐ２）、青色が点灯中であればｓｔｅｐ１に戻り、赤色が点灯中である場合には、これを消して青色を点灯させて（ｓｔｅｐ３）、ｓｔｅｐ１に戻る。
【００５５】
また、ｓｔｅｐ１において閾値以上の場合も、ＬＥＤの赤色と青色のどちらが点灯中であるかを判断する（ｓｔｅｐ４）。赤色が点灯中であれば（実施例１の場合、プライバシーモードで点灯しているときも含まれる）ｓｔｅｐ１に戻り、青色が点灯中であれば、カメラモジュール保護動作を行う（ｓｔｅｐ５）。レンズ駆動部１５によってパンチルト変更部５をチルト方向に回転させ、レンズ４が膨出カバー４ａで隠され、日光を遮って日光からのカメラモジュール保護が可能になる。
【００５６】
このカメラモジュール保護動作を行った後、ＬＥＤの点灯中の青色を消して赤色を点灯させ（ｓｔｅｐ６）、レンズが直射日光に近い強い日光を受光したためカメラモジュール保護動作中である旨をユーザに通知するために、ＷＥＢ表示用情報を送信するのか、メールを送信するのかを判断する（ｓｔｅｐ７）。
【００５７】
メールを送信する場合は、レンズ動作通知画面／メール生成手段２０ａは、ＷＥＢ／メール情報記憶手段１８ｃからカメラモジュール保護動作を行った旨のメール情報を読み出して、通信端末３にプロトコルＳＭＴＰで通知する（ｓｔｅｐ８）。また、ＷＥＢ表示情報を送信する場合は、レンズ動作通知画面／メール生成手段２０ａは、ＷＥＢ／メール情報記憶手段１８ｃからカメラモジュール保護動作を行った旨のＨＴＭＬ等のＷＥＢ表示情報を読み出して、通信端末３にプロトコルＨＴＴＰで送信する（ｓｔｅｐ９）。ｓｔｅｐ８，９の後に、ｓｔｅｐ１に戻って待機する。
【００５８】
このように実施例１のネットワークカメラ２は、照度を測定するためのセンサ等を装備することが不要で、このようなセンサよりも光量を高精度で検知でき、直射日光を代表とする強い日光によるカメラモジュールへの直接的なダメージをいち早く避けることができる。チルト動作を使うことによって構成を簡単にすることができる。
【００５９】
また、ＷＥＢ表示情報かメールを送信することにより、ユーザにカメラモジュール保護動作を行っている旨を通知することができ、ネットワークカメラ２のおかれている状態をいち早く報知することができる。さらに、プライバシー保護と共に、カメラモジュール保護でも同じインジケータ６ａを使って保護中である旨を表示するので、煩雑な構成になるのを避けることができる。
【００６０】
（実施例２）
本発明の実施例２におけるネットワークカメラについて説明する。実施例２のカメラモジュール保護動作手段によるカメラモジュール保護は、レンズカバーでレンズを覆うものである。図７（ａ）は本発明の実施例２におけるカメラモジュールの保護前の状態とインジケータの拡大図、図７（ｂ）は（ａ）のカメラモジュールの保護時の状態とインジケータの拡大図である。実施例２においては図１〜図６を参照する。実施例１と同一符号は同一構成であるから、同一符号の詳細な説明は実施例１に譲って省略する。
【００６１】
図７（ａ）（ｂ）において、８はレンズカバーである。レンズカバー８はパンチルト変更部５と膨出カバー４ａの間に挟まれて摺動自在に設けられ、カメラモジュール保護動作時には図７（ａ）の左図の状態からレンズ４を覆うようにスライドして突出し（レンズ保護動作）、図７（ｂ）の左図の状態となり、レンズ４を覆って日光を遮断するものである。このレンズカバー８が、実施例２における本発明のカメラモジュール保護動作手段である。なお、実施例２においては、レンズカバー８をスライドするだけでカメラモジュールの保護を行っているが、実施例１のチルトと組み合わせ、チルトと共にレンズカバー８をスライドさせるのでもよい。
【００６２】
また、プライバシーモードスイッチ６を手動で操作するか、ＩＰネットワーク１から操作することによって、パンチルト変更部５をチルト方向に回転させ、レンズ４の視野を覆って画像の非公開状態にすることができるが、レンズカバー８を使って非公開状態にすることもできる。
【００６３】
実施例２のネットワークカメラは、照度を測定するためのセンサ等を装備することが不要で、このようなセンサよりも光量を高精度で検知でき、直射日光を代表とする強い日光によるカメラモジュールへの直接的なダメージをいち早く避けることができる。レンズカバー８を使うことによって、覆うという動作でユーザに安心感を与えることができる。チルトの回転を大きくするための構成が不要となる。
【００６４】
また、ＷＥＢ表示情報かメールを送信することにより、ユーザにカメラモジュール保護動作を行っている旨を通知することができ、ネットワークカメラ２のおかれている状態をいち早く報知することができる。さらに、プライバシー保護と共に、カメラモジュール保護でも同じインジケータ６ａを使って保護中である旨を表示するので、煩雑な構成になるのを避けることができる。
【産業上の利用可能性】
【００６５】
本発明は、強い日光によるカメラモジュールへの直接的なダメージを避けることができるカメラ装置、とくにネットワークカメラに適用できる。
【図面の簡単な説明】
【００６６】
【図１】本発明の実施例１におけるネットワークカメラのシステム構成図
【図２】（ａ）本発明の実施例１におけるネットワークカメラの正面図、（ｂ）（ａ）のネットワークカメラの側面図
【図３】本発明の実施例１におけるネットワークカメラの構成図
【図４】（ａ）本発明の実施例１におけるカメラモジュールの保護前の状態とインジケータの拡大図、（ｂ）（ａ）のカメラモジュールの保護時の状態とインジケータの拡大図
【図５】本発明の実施例１におけるネットワークカメラの光量測定の説明図
【図６】本発明の実施例１におけるネットワークカメラのカメラモジュール保護のフローチャート
【図７】（ａ）本発明の実施例２におけるカメラモジュールの保護前の状態とインジケータの拡大図、（ｂ）（ａ）のカメラモジュールの保護時の状態とインジケータの拡大図
【符号の説明】
【００６７】
１    ＩＰネットワーク
２    ネットワークカメラ
２ａ    ネットワークカメラ本体
３    通信端末
４    レンズ
４ａ    膨出カバー
５    パンチルト変更部
６    プライバシーモードスイッチ
６ａ    インジケータ
７    パワースイッチ
８    レンズカバー
１１    ネットワークインターフェース（Ｉ／Ｆ）
１２    ＷＥＢサーバ
１３    カメラ部
１３ａ    撮像部
１４    画像データ生成部
１４ａ    画像信号処理手段
１４ｂ    画像信号圧縮手段
１４ｃ    光量判定手段
１５    レンズ駆動部
１６    カメラ制御部
１７    制御部
１７ａ    動作要求判定手段
１８    記憶部
１８ａ    光量閾値記憶手段
１８ｂ    画像記憶手段
１８ｃ    ＷＥＢ／メール情報記憶手段
１９    ＬＥＤ処理手段
１９ａ    ＬＥＤ処理部
２０    表示情報／メール生成部
２０ａ    レンズ動作通知画面／メール生成手段
【図１】
2007142924.tif 000003
【図２】
2007142924.tif 000004
【図３】
2007142924.tif 000005
【図４】
2007142924.tif 000006
【図５】
2007142924.tif 000007
【図６】
2007142924.tif 000008
【図７】
2007142924.tif 000009